(57)【特許請求の範囲】
【請求項１】
遊技場に設置されている遊技機を管理する管理手段と、
遊技者が指定した検索条件にて遊技機を検索する検索手段と、
前記検索手段の検索結果に対応した遊技機を特別遊技機として表示する検索結果表示手段と、
前記検索条件、又は、前記検索結果を特定可能な情報である検索履歴情報を、遊技機の検索を行った遊技者別に記憶する検索履歴情報記憶手段と、
前記検索履歴情報記憶手段に記憶している検索履歴情報に応じた特別情報を報知する特別報知手段と、
を備えたことを特徴とする遊技場用表示装置。
【請求項２】
前記特別報知手段は、前記特別遊技機を表示させた遊技者に対して、前記特別遊技機に関する情報を前記特別情報として報知することを特徴とする請求項１に記載の遊技場用表示装置。
【請求項３】
前記管理手段は、遊技者に有利な特別遊技状態が終了してから経過したゲーム数を遊技機別に管理すると共に、新たに遊技場に設置された遊技機を新規遊技機として管理するものであり、
前記新規遊技機は、前記特別遊技状態が終了してから経過したゲーム数によってその他のゲーム数である場合に比べ遊技者に有利なことがあり、
前記特別報知手段は、前記検索条件として前記特別遊技状態が終了してからのゲーム数を指定して検索を行っていた遊技者に対して、前記新規遊技機における遊技者に有利なゲーム数の情報を前記特別情報として報知することを特徴とする請求項１または２に記載の遊技場用表示装置。
【発明の詳細な説明】
【技術分野】
【０００１】
本発明は、遊技場に設けられている遊技機の情報を表示する遊技場用表示装置に関する。
【背景技術】
【０００２】
遊技場では、様々な情報を遊技者に提供している。例えば、特許文献１には、遊技機に対応して設置した台間ユニットの表示部に遊技者の性別や年齢等を考慮して遊技場のイベント情報や、遊技機の攻略の情報を表示することが記載されている。このようなサービス（情報の提供）を行うことで、遊技者が良好に遊技を行い易くなることや、遊技者に対して再来場を促すことが可能となる。特に、表示部に情報を表示する場合、表示する情報を変更すれば、遊技者に提供する情報の内容を変更することが可能であり、遊技場にて提供する情報の種類を容易に増やすことが可能である。
【先行技術文献】
【特許文献】
【０００３】
【特許文献１】特開２００３−９３７１８号公報
【発明の概要】
【発明が解決しようとする課題】
【０００４】
しかしながら、遊技場では様々な情報を遊技者に提供している反面、情報の種類があまりにも膨大なため、遊技者によっては興味のない情報も提供している。表示した情報に遊技者が興味を示さなかった場合、情報を表示したことによる効果が十分に得られない。ここで、遊技者の年齢や性別によって提供する情報を変化させることも可能であるが、遊技者の年齢や性別が同じであったとしても遊技者の趣向は異なることがあり、遊技者の年齢や性別だけでは、遊技者に対して提供する情報を十分に決定できているとは言えない。したがって、遊技者に提供する情報を決定する上で、未だ改善の余地がある。
本発明は上記事情に鑑みてなされたもので、その目的は、遊技者に対して特別情報を報知する効果を良好に得ることができる遊技場用表示装置を提供することにある。
【課題を解決するための手段】
【０００５】
請求項１に記載した発明は、遊技場に設置されている遊技機を管理する管理手段と、遊技者が指定した検索条件にて遊技機を検索する検索手段と、前記検索手段の検索結果に対応した遊技機を特別遊技機として表示する検索結果表示手段と、前記検索条件、又は、前記検索結果を特定可能な情報である検索履歴情報を、遊技機の検索を行った遊技者別に記憶する検索履歴情報記憶手段と、前記検索履歴情報記憶手段に記憶している検索履歴情報に応じた特別情報を報知する特別報知手段と、を備えたことを特徴とする。
【０００６】
請求項２に記載した発明は、前記特別報知手段は、前記特別遊技機を表示させた遊技者に対して、前記特別遊技機に関する情報を前記特別情報として報知することを特徴とする。
【０００７】
請求項３に記載した発明は、前記管理手段は、遊技者に有利な特別遊技状態が終了してから経過したゲーム数を遊技機別に管理すると共に、新たに遊技場に設置された遊技機を新規遊技機として管理するものであり、前記新規遊技機は、前記特別遊技状態が終了してから経過したゲーム数によってその他のゲーム数である場合に比べ遊技者に有利なことがあり、前記特別報知手段は、前記検索条件として前記特別遊技状態が終了してからのゲーム数を指定して検索を行っていた遊技者に対して、前記新規遊技機における遊技者に有利なゲーム数の情報を前記特別情報として報知することを特徴とする。
【発明の効果】
【０００８】
請求項１に記載した発明によれば、検索履歴情報に応じた特別情報を報知するので、検索履歴情報に応じて遊技者に報知する特別情報を異ならせることができる。どのような遊技機にて遊技を行いたいと考えるかは遊技者によって異なるため、遊技機の検索履歴を特定すれば、遊技者の趣向を良好に特定できる。つまり、検索履歴情報によって、その遊技者が興味を持ちそうな特別情報を報知できる。これにより、遊技者に対して提供する情報を十分に決定することができ、特別情報を報知する効果を得ることができる。
【０００９】
請求項２に記載した発明によれば、検索結果として特別遊技機を表示させた遊技者に対して当該特別遊技機に関する情報を特別情報として報知する。この場合、検索結果として特別遊技機を表示させた遊技者は、その特別遊技機にて遊技を行う可能性が高い遊技者である。そのため、特別遊技機に関する情報を報知することにより、遊技者が興味を持っている可能性が高い遊技機に関する情報、即ち、遊技者が欲している情報を報知することが可能となる。
【００１０】
請求項３に記載した発明によれば、特別遊技状態が終了してからのゲーム数を指定して検索を行っていた遊技者に対して、新規遊技機における遊技者に有利なゲーム数の情報を特別情報として報知する。遊技機によっては、特別遊技状態が終了してからのゲーム数によっては遊技者に有利となるものがある。このような場合、遊技者によっては、遊技機の検索をゲーム数によって行うことがあるが、そのような遊技者であっても新たに遊技場に設置された新規遊技機についてはゲーム性の情報が不足しており、遊技者に有利になるゲーム数を特定できないことがある。そこで、ゲーム数によって検索を行う遊技者に対して、新規遊技機における遊技者に有利となるゲーム数を報知することで、遊技者が知りたいと考えている可能性の高い情報を良好に特定できる。また、検索履歴に応じて新規遊技機の情報を報知するため、遊技者に対して遊技機の検索の実行つまり遊技場用表示装置の利用を促す効果も期待できる。
【図面の簡単な説明】
【００１１】
【図１】本発明の一実施形態による遊技場用表示装置を適用した遊技場用システムの構成を概略的に示す図
【図２】表示装置の構成の概略を示す図
【図３】表示装置の画面遷移を模式的に示す状態遷移図
【図４】表示装置の受付画面の一例を示す図
【図５】表示装置のメインメニュー画面の一例を示す図
【図６】表示装置の台選びメニュー画面の一例を示す図
【図７】表示装置の機種一覧画面の一例を示す図
【図８】表示装置のグラフ一覧画面の一例を示す図
【図９】表示装置の指定台データ画面の一例を示す図
【図１０】表示装置の打ちたい台探し画面の一例を示す図
【図１１】表示装置の打ちたい台探し結果画面の一例を示す図
【図１２】表示装置のお得情報メニュー画面の一例を示す図
【図１３】表示装置のお得情報画面（特別情報の報知画面）の一例を示す図その１
【図１４】表示装置のお得情報画面（特別情報の報知画面）の一例を示す図その２
【図１５】表示装置のマイメニュー画面の一例を示す図
【図１６】表示装置のマイメニュー登録画面の一例を示す図
【発明を実施するための形態】
【００１２】
以下、本発明の一実施形態による遊技場用表示装置について、図１から図１６を参照しながら説明する。
図１は、遊技場用表示装置を適用した遊技場用システム１の全体構成を概略的に示している。遊技場用システム１が設けられている遊技場内には、複数の遊技機２が設置されており、各遊技機２に対応して各台計数機３が付設されている。これら遊技機２及び各台計数機３は、それぞれ中継装置４に接続している。中継装置４は、ＬＡＮ５を介して管理装置６に接続しており、遊技機２や各台計数機３等の遊技装置側から出力される各種の遊技信号を管理装置６に送信すると共に、管理装置６から各種の情報を受信して遊技装置側に中継する。管理装置６は、遊技場内の例えば事務所等に設置されており、出力手段としてのモニタ等が接続されている。遊技場内には例えば数百台の遊技機２が設置されており、管理装置６の管理対象となっている。また、遊技場内には、景品交換のための周知のＰＯＳ７、及び、本発明における遊技場用表示装置としての表示装置８も設置されており、ＬＡＮ５を介して例えば管理装置６との間で情報の送受信が可能になっている。
【００１３】
遊技機２は、例えばいわゆるパチンコ遊技機等であり、遊技媒体としての玉（遊技価値。所謂パチンコ玉）を盤面に発射するためのハンドル１０、玉を入賞させるための普図入賞口１１、始動口１２、玉の入賞に応じて表示図柄が変動する表示部１３、大当り時に開放する大入賞口１４、玉が払い出される上皿１５、及び上皿１５から溢れた玉を一時的に貯留する下玉受皿１６等を備えている。遊技機２は、始動口１２への玉の入賞（始動入賞）に応じて所定の当選確率にて大当り抽選を行い、その抽選結果に基づき所謂特別図柄（特図）による図柄変動を表示部１３にて実行する。そして、表示部１３に停止表示された図柄が大当り図柄の場合に大当り（特別遊技状態に相当する）を発生させる。大当たりが発生すると、遊技機２は、対応するラウンド数に応じた回数分だけ大入賞口１４を開放する。
【００１４】
このような構成の遊技機２側からは、遊技の進行に伴って、遊技者が使用した玉数を特定可能なアウト信号、遊技機２から払い出された玉数を特定可能なセーフ信号、始動入賞により変動（作動）する液晶表示部（役物）における所謂スタートを特定可能なスタート信号、大当たりの発生即ち特別遊技状態の発生を特定可能な大当たり信号等が出力される。尚、大当たり後に所謂時短状態や確変状態になる遊技機２であれば、時短状態や確変状態を特別遊技状態に含めてもよい。また、遊技機２としては、パチンコ遊技機だけでなく、いわゆるスロットマシン等であっても良い。
【００１５】
各台計数機３は、玉の貸出を受けるための対価（例えば、紙幣）を投入する紙幣投入口３０、各種の情報を表示する液晶表示部３１、所謂再遊技を行うために遊技者が操作する再遊技釦３２、玉を遊技機２に払出す払出ノズル３３、ＩＣカード９等の記録媒体を挿入するカード挿入口３４、玉を計数する計数部３５、下玉受皿１６から溢れた玉を一時的に貯留する可動玉受皿３６、及び可動玉受皿３６から計数部３５へ玉を案内する案内腕３７等を備えている。各台計数機３は、遊技者によって紙幣投入口３０に対価が投入されて貸出釦（図示省略）が操作されると、例えば１玉４円で貸出す場合には１２５玉等の貸出単位の玉を払出ノズル３３から遊技機２に払出す貸出処理を実行する。このとき、各台計数機３は、投入された対価から払出した玉数に対応する対価を減算した残高を記憶しており、遊技者による返却釦（図示省略）の操作に応じて残高を記録したＩＣカード９を発行する。また、各台計数機３は、遊技機２から案内された玉を計数部３５にて計数し、遊技者による再遊技釦３２の操作に応じて計数したに基づいて遊技者に玉を貸し出す所謂再遊技も実行可能となっている。
【００１６】
管理装置６は、ＣＰＵ、ＲＯＭ及びＲＡＭ等で構成された制御部、ＨＤＤ等で構成された記憶部、及び上記した遊技信号等の送受信を行う入出力部等を備えている。管理装置６は、記憶部に記憶されている制御プログラムに従って作動し、入出力部に入力される遊技機２側からの遊技信号に基づいて周知のように各種の遊技情報を管理する。具体的には、管理装置６は、遊技機２側から入力されるアウト信号に基づくアウトの特定、セーフ信号に基づくセーフの特定、スタート信号に基づくスタート回数の特定等を行い、出玉率や稼動率或いは売上額等の遊技情報を、遊技機２毎、遊技機の機種毎或いは遊技場全体等で集計及び管理する。
【００１７】
遊技場用表示装置としての表示装置８は、図２に示すように、制御部４０（管理手段、検索手段に相当する）、表示部４１（検索結果表示手段、特別報知手段に相当する）、操作入力部４２（検索手段に相当する）、記憶部４３（検索履歴情報記憶手段に相当する）、通信部４４、及び遊技者特定部４５等を備えている。
【００１８】
制御部４０は、ＣＰＵ、ＲＯＭ及びＲＡＭ等を有するコンピュータで構成されており、表示装置８の全体を制御する。表示部４１は、例えば液晶パネルや有機ＥＬパネル等で構成されており、各種の情報を表示する。操作入力部４２は、例えば表示部４１の画面に対応して設けられている所謂タッチパネル式のスイッチや、表示部４１の周囲等に配置された押しボタン式のスイッチ等で構成されており、遊技者による操作が入力される。記憶部４３は、例えばＨＤＤやＣＦカードのような記憶媒体で構成されており、後述するように遊技者毎の設定等の各種の情報を記憶する。通信部４４は、ＬＡＮ５に接続するインターフェースであり、遊技装置側及び管理装置６から各種の情報を送受信する。
【００１９】
遊技者特定部４５は、図示しないカード受付口及び近距離通信部等で構成されており、例えばカード受付口にて所謂会員カードを受け付けると、当該会員カードに対応付けられている遊技者を特定する。また、近距離通信部に遊技者が所有する携帯端末等の端末が近づけられると、その間で通信を行うことにより遊技者を特定する。つまり、遊技者特定部４５は、表示部４１を視認している遊技者、即ち、表示装置８に対して操作を行っている遊技者を特定する。
【００２０】
次に、上記した構成による作用について説明する。
図３は、表示装置８における表示画面の遷移を示す状態遷移図である。表示装置８は、遊技者を特定していない状態では、例えば表示部４１をブラックアウトする等の消費電力モード、或いは、表示部４１に所定のメッセージ等を表示するスクリーンセイバーモードで待機している。そして、表示装置８の前に遊技者が来ると図示しない人感センサにより遊技者を検出し、図４に示す受付画面（図３のＳ１に対応する）を表示する。この受付画面では、表示部４１に設けられている第一表示領域５０に、遊技場の会員向けの操作釦である会員カード釦５２及び携帯釦５３、並びに、非会員用の操作釦であるメインメニュー釦５４が、それぞれ「会員カードをお持ちの方」、「携帯タッチ機能を使用する方」、「メインメニューへ」等のメッセージと共に表示される。また、表示部４１の第二表示領域５１に、例えば会員登録を促す等の遊技場からのメッセージがスクロール表示される。
【００２１】
この受付画面において遊技者によりメインメニュー釦５４が選択されると、表示装置８は、図５に示すメインメニュー画面（図３のＳ２に相当する）を表示する。このメインメニュー画面では、第一表示領域５０に台選び釦Ｍ１、お得情報釦Ｍ２、貯玉照会釦Ｍ３、インフォメーション釦Ｍ４、オンライン釦Ｍ５（図５では「Ｏｎｌｉｎｅ」と示す）、ポイント照会釦Ｍ６、及び携帯登録／変更釦Ｍ７等の操作釦が表示され、第二表示領域５１にはマイメニュー釦Ｍ８（図５では「ＭｙＭｅｎｕ」と示す）、終了釦Ｍ９、係員呼出釦Ｍ１０等の操作釦が表示される。
【００２２】
以下、このように表示部４１にメインメニュー画面が表示されている状態を通常表示状態と称する尚、図５は会員である遊技者により受付画面において会員カード釦５２及び携帯釦５３のいずれかが選択された場合（会員がログインした場合。即ち、遊技者が特定されている状態）を想定しており、メインメニュー画面には会員用のサービスである貯玉照会やポイント照会、マイメニュー等の釦が表示され、それらの機能を利用することが可能になっている。
【００２３】
このメインメニュー画面においていずれかの操作釦が選択された場合、表示装置８は、以下のような画面を表示する。
・台選び釦Ｍ１：台選びを行うための台選びメニュー画面（後述する図６。図３のＳ３に相当する）を表示する。この台選びメニュー画面からは、遊技機２の機種の一覧画面（後述する図７。図３のＳ３１に相当する）や指定台データ画面（後述する図９参照。図３のＳ３１２に相当する）等へ遷移する。
・お得情報釦Ｍ２：遊技者に対するお得情報メニュー画面（後述する図１３。図３のＳ４に相当する）を表示する。このお得情報メニュー画面からは、お得情報画面（後述する図１４。図３のＳ４１に相当する）へ遷移する。
・貯玉照会釦Ｍ３：貯玉照会メニュー画面（図３のＳ６１に相当する）を表示する。貯玉照会メニュー画面には、図示は省略するが、操作釦としての貯玉表示釦が表示されており、貯玉表示釦が選択されると遊技者の現在の貯玉残高画面（図３のＳ６１に相当する）へ遷移し、その状態で貯玉履歴釦が選択されると、貯玉履歴画面（図３のＳ６１１に相当する）へ遷移する。尚、貯玉残高画面や貯玉履歴画面は、貯玉がある場合のみ表示される。
【００２４】
・インフォメーション釦Ｍ４：お得情報メニュー画面（図３のＳ４に相当する）を表示する。このお得情報メニュー画面からは、遊技場から遊技者へ提供するための情報を表示するお客様への案内画面（図３のＳ５１に相当する）やお店のルール画面（図３のＳ５３に相当する）へ遷移する。
・オンライン釦Ｍ５：オンラインのサーバにて提供されるサービスを利用するためのＯｎｌｉｎｅメニュー画面（図３のＳ８に相当する）を表示する。Ｏｎｌｉｎｅメニュー画面からは、図３に示すように、遊技者の遊技の履歴（Ｓ８１１〜Ｓ８１４等）の情報の閲覧画面や、Ｏｎｌｉｎｅ会員登録画面（Ｓ８２）等への遷移が可能。
・ポイント照会：遊技者のポイント照会メニュー画面（図３のＳ７に相当する）を表示する。会員向けのサービスであり、例えば、来場回数に応じて遊技場から付与された特典としてポイントなどの情報を表示するポイント照会画面（図３のＳ７１に相当する）への遷移が可能。
【００２５】
・携帯登録／変更釦Ｍ７：会員カードや携帯端末或いはスマートフォン等の携帯端末との紐付けを行う機能を実行するための携帯変更画面（図３のＳ９に相当する）を表示する。例えば携帯端末を会員特定部４６の近距離通信部に近づけた状態で携帯登録／変更釦Ｍ７を選択すると、遊技者と携帯端末との紐付けが行われ、当該携帯端末を表示装置８へのログインに利用することが可能となる。尚、この機能は、遊技場側にて使用／不使用の設定が可能である。
・マイメニュー釦Ｍ８：後述するように、個別の遊技者毎に設定されたマイメニュー画面（図１５参照。図３のＳ１０に相当する）へ遷移する。マイメニュー釦Ｍ８は、会員がログインしたときのみ表示される。
・終了釦Ｍ９（終了操作手段）：現在の表示を終了し、受付画面に戻る操作（終了操作）を実行するための操作釦。
・係員呼出釦Ｍ１０：遊技場の係員を呼び出すための音声呼出を行うための操作釦。
【００２６】
ここで、上記した各操作釦が選択された場合の画面遷移について、幾つかの例を挙げて説明する。
＜例１＞  台選び
メインメニュー画面で例えば台選び釦Ｍ１が遊技者により選択されると（操作されると）、表示装置８は、図６に示すように、表示部４１に、台選びメニュー画面を表示する。この台選びメニュー画面には、機種一覧釦Ｍ１１、台番入力釦Ｍ１２、打ちたい台探し釦Ｍ１３、ベスト台釦Ｍ１４、及び、メインメニューに戻るためのメインメニュー釦Ｍ１５が表示されている。つまり、表示装置８は、メインメニュー画面に表示されている台選び釦Ｍ１が選択された場合に、当該台選び釦Ｍ１に対応する複数の操作釦を表示する台選びメニュー画面に遷移する。尚、台選びメニュー画面にて表示される操作釦は遊技場側にて変更可能であり、例えば遊技者が会員の場合にだけ表示する、会員以外の場合にも表示する等の設定が可能である。
【００２７】
表示装置８は、台選びメニュー画面にて例えば機種一覧釦Ｍ１１が選択されると、図７に示す機種一覧画面を表示する。この機種一覧画面には、第一表示領域５０に、遊技場内に設置されている遊技機２の機種の一覧をリスト表示する機種リストＭ１６が表示されると共に、表示する遊技機２の種類の一覧である種類リストＭ１７が表示されている。また、第二表示領域５１には、新たに台選びメニュー釦Ｍ１８が表示されている。この台選びメニュー釦Ｍ１８は、台選び釦Ｍ１と同様の機能を有しており、台選びメニュー釦Ｍ１８が選択されると、上記した図６に示す台選びメニュー画面に遷移する。即ち、本実施形態における情報とは、遊技情報そのものの場合や遊技情報を表示させるための操作釦等、更には他の情報等をも含むものである。
【００２８】
そして、表示装置８は、リスト表示されている機種のうち、遊技者により例えばＣＲパチンコＡＡの機種が選択されると、図８に示すようにグラフ一覧画面を表示する（図３のＳ３１１に相当する）。このグラフ一覧画面には、機種名Ｍ１９、及び機種ＡＡの各遊技機２の遊技情報の概略（例えば、いわゆるスランプグラフや大当たり回数等）を示す概略情報Ｍ２０が表示されると共に、台選びメニュー釦Ｍ１８、機種一覧釦Ｍ２１、機種ベスト釦Ｍ２２、台情報一覧釦Ｍ２３等が表示される。機種一覧釦Ｍ２１は、図６に示す機種一覧釦Ｍ１１と同一の処理を行うための操作釦であり、機種ベスト釦Ｍ２２は、ベスト台釦Ｍ１４と同一の処理を行うための操作釦であり、台情報一覧釦Ｍ２３は、図示は省略するが、例えば前日や前々日等の大当たり回数等、図８とは異なる遊技情報の概略を表示する画面である台情報一覧画面（図３のＳ３１３に相当する）を表示させるための操作釦である。
【００２９】
尚、表示する元データである遊技情報は、表示する際に管理装置６にて周知のように管理されている遊技情報を取得することを想定しているが、表示装置８にて独自に遊技情報を集計及び管理する構成としてもよいし、例えば定期的に管理装置６と遊技情報を共有して共有した遊技情報を表示装置８にて管理する構成としてもよい。
【００３０】
このグラフ一覧画面において台番が選択されると、表示装置８は、図９に示すように、選択された遊技機２の詳細な遊技情報を表示する指定台データ画面を表示する。この指定台データ画面には、図８に示した遊技情報よりも詳細な遊技情報、具体的には、過去の遊技情報の履歴や、当日の出玉数等の詳細情報Ｍ２４が表示される。また、詳細情報Ｍ２４の大当り履歴釦Ｍ２４ａが選択されると、図示は省略するが、大当りに関するさらに詳細な遊技情報を示す大当履歴画面（図３のＳ３１２１に相当する）が表示される。
【００３１】
また、グラフ一覧画面には、新たにグラフ一覧釦Ｍ２５、遊技台得情報釦Ｍ２６等が表示される。グラフ一覧釦Ｍ２５は、図８に示したグラフ一覧画面を表示するための操作釦であり、遊技台得情報釦Ｍ２６は、オプション機能として遊技者に情報を報知するための操作釦であり、印字釦Ｍ２７は、表示中の遊技機２の台番や遊技情報等を印字出力するための釦である。尚、遊技台得情報釦Ｍ２６を選択した際に表示される情報は、後述する例３にて示すお得情報とは異なる情報である。
【００３２】
＜例２＞  打ちたい台探し
表示装置８は、図６に示すメインメニュー画面において打ちたい台探し釦Ｍ１３が選択されると、図１０に示すように、打ちたい台探し画面（図３のＳ３３に相当する）を表示する。この打ちたい台探し画面には、検索条件として、例えば対象とするデータの日付（「当日」や「前日」）、遊技機のタイプ（大当り確率や出玉等のスペック。いわゆるＭＡＸタイプ、ミドルタイプ等）、機種名、遊技情報（「大当り回数」や「累計スタート回数」、「最終スタート回数」（前回の特別遊技状態が終了してからのゲーム数に相当する）等）を入力する入力部Ｍ３０（検索手段に相当する）、及び操作釦群Ｍ３１が設けられており、遊技者が希望する機種や遊技状態の遊技機２の検索が可能となっている。表示装置８は、遊技者により検索条件が入力され、操作釦群Ｍ３１の検索釦が選択されると、検索条件に一致する或いは近似する遊技機２を検索し、その検索結果を図１１に示す打ちたい台探し結果画面のように表示する。
【００３３】
この図１１では検索条件に該当する遊技機２の遊技情報の概略である概略情報Ｍ３２、及び検索結果に対する操作を行うための操作釦群Ｍ３３が表示される。尚、図１１では該当する遊技機２が１台であった際の結果を例示しているが、複数の遊技機２が該当した場合には、複数の遊技機２の遊技情報の概略が一覧表示される。複数の遊技機２が表示されている場合には、いずれかの遊技機２を選択することにより、図９に示す指定台データ画面に遷移する。尚、操作釦群Ｍ３３のＱＲコード釦（ＱＲコードは登録商標）が選択されると、当該遊技機２の台番等を示すＱＲコードが表示され、携帯端末などでそのＱＲコードを読み取ることで当該遊技機２の情報を取得できる。また、条件変更釦が選択されると、図１０に示す打ちたい台探し画面に遷移し、検索条件を変更することができる。
【００３４】
＜例３＞  お得情報
表示装置８は、図６に示すメインメニュー画面においてお得情報釦Ｍ２が選択されると、図１２（Ａ）に示すお得情報メニュー画面を表示する。このお得情報メニュー画面には、お得情報釦Ｍ３４及び店長ブログ釦Ｍ３５が表示されている。尚、これらの操作釦は一例である。遊技者によりお得情釦Ｍ３４が選択されると、後述するように、遊技者にとってお得なお得情報が表示され、店長ブログ釦Ｍ３５が選択されると、遊技場の店長のいわゆるブログ画面（図３のＳ４２に相当する）が表示される。
【００３５】
ここで、お得情報について詳細に説明する。表示装置８は、図１２（Ａ）に示すお得情報メニュー画面においてお得情釦Ｍ３４が選択されると、デフォルトの画面として図１２（Ｂ）に示すお得情報画面を表示する。このお得情報画面では、会員の遊技者に対して各種のお得情報Ｍ６０が表示されるとともに、操作釦群Ｍ２９が表示されている。このとき、表示装置８は、遊技者による上記した打ちたい台探しにおいて遊技者が指定した検索条件、又はその検索結果を特定可能な情報である検索履歴情報を記憶しており、その検索履歴情報に応じたさらなるお得情報（特別情報に相当する）を遊技者に報知可能となっている。尚、遊技者に報知するお得情報は、遊技場の管理者により設定されものであり、検索履歴に応じて報知するお得情報の内容を変更することが可能である。
【００３６】
具体的には、表示装置８は、図１２（Ａ）に示すお得情報メニュー画面において遊技者がお得情報釦Ｍ３４を選択した際、遊技者別に記憶している検索履歴情報がお得情報を報知する条件を満たしているかを判定し、条件を満たしているお得情報を報知するために、操作釦群Ｍ２９に特定の操作釦を表示する。例えば、遊技者が機種Ａの遊技機２について５回以上検索している場合、表示装置８は、操作釦群Ｍ２９にお得情報１０釦を表示する。換言すると、機種Ａの遊技機２について５回以上検索していない遊技者に対しては、お得情報１０釦を表示しない。そして、遊技者により、お得情報１０釦が選択されると、図１３に示すお得情報（特別情報）を報知する。この図１３では、特別情報として、イベント情報が遊技者に対して報知されている。
【００３７】
或いは、検索条件として１０回以上ゲーム数（上記した「最終スタート回数」等）で遊技機２を検索した遊技者に対しては、表示装置８は、操作釦群Ｍ２９にお得情報１１釦を表示する。この図１４の場合、機種Ｄについてのお得情報が表示されている。例えば、機種Ｂ（ここで、スロットマシンを想定している）は、いわゆる天井が８００Ｇ、８００Ｇ以降でボーナスに当選するとＡＲＴの突入率が高くなる遊技機２であり、機種Ｃは、いわゆるゾーンが存在し、天井が１０００Ｇでボーナスが共生的に発生し、０〜９９Ｇ、２００〜２９９Ｇ、４００〜４９９Ｇ、６００〜６９９Ｇ、８００〜８９９Ｇではボーナスが発生し易くなる遊技機２であり、機種Ｄは、天井が１０００Ｇで、１０００Ｇを超えた場合、ボーナス当選までＲＴが継続する遊技機２であったとする。このように、ゲーム数に応じて特徴が変化する遊技機２（スロットマシン）が存在するため、ゲーム数で遊技機２を検索する遊技者が多い。
【００３８】
そこで、表示装置８は、１０回以上ゲーム数で遊技機２を検索した遊技者がお得情報１１釦を選択すると、図１４に示すように、遊技者が検索した機種Ｄの遊技機２が天井タイプであり、ボーナス状態が終了してから１０００Ｇが経過するとリプレイタイムに突入する機種であること、そのため、５００Ｇを超えている遊技機２であれば有利になる可能性が高いという情報を表示する（特別情報を遊技者に報知する）。つまり、機種Ｄの遊技機は、遊技者に有利な特別遊技状態（例えばボーナス状態）後に経過したゲーム数（機種Ｄの場合１０００Ｇ）によって、他のゲーム数である場合に比べて有利なことがある特別遊技機であって、新たに遊技場に設置された新規遊技機（設置してから所定期間が経過するまでの遊技機２）である。新規遊技機であるか否かの設定は、遊技場の管理者により行われる。そして、表示装置８は、特別遊技機の遊技情報を表示させた遊技者に対して、上記した特別情報を報知する。
【００３９】
このように、表示装置８は、遊技者が指定した検索条件、又は、検索結果を特定可能な検索履歴情報（検索条件や、検索条件に基づいて検索された遊技機２の種類や台番等の情報）に基づいて、遊技者に特別情報を報知する。また、表示装置８は、検索履歴情報に基づいて、表示するお得情報の内容を変更している。
また、表示装置８は、個別の詳細な説明は省略するものの、図３に示すように多数の画面遷移を行うことで遊技者に提供可能な各種の情報を表示し、遊技者が所望する情報を臨機応変に提供可能に構成されている。
【００４０】
さて、表示装置８は、上記したように遊技者の様々な要望に応えて情報を提供することが可能であるものの、所望の情報を表示するまでに複数の操作（画面を遷移させるための操作）が必要となる場合もある。そのため、表示装置８は、以下のようにして操作回数を低減させることで、利便性の向上が図られている。
表示装置８は、図５に示す受付画面において会員カード釦５２或いは携帯釦５３が操作された場合、つまり、遊技者が会員であることを特定した場合、上記したようにメインメニュー画面にマイメニュー釦Ｍ８を表示する。そして、このメインメニュー画面（通常表示状態）において、遊技者によりマイメニュー釦Ｍ８が選択されると（特別操作が実行されると）、図１５に示すように、表示部４１内に子画面としてマイメニュー画面Ｍ５０を表示する。以下、このマイメニュー画面Ｍ５０が表示されている状態を特別表示状態と称する。
【００４１】
マイメニュー画面Ｍ５０には、機種一覧釦Ｍ５１、台番入力釦Ｍ５２、打ちたい台探し釦Ｍ５３、ベスト台データ釦Ｍ５４、ポイント照会釦Ｍ５５、貯玉照会釦Ｍ５６、マイメニュー登録釦Ｍ５７、及びキャンセル釦Ｍ５８等の操作釦が表示されている。これらの操作釦のうち、例えば機種一覧釦Ｍ５１は、機種一覧釦Ｍ１１と同一の処理を行うための操作釦であり、遊技者により選択されると、図７に示したように機種一覧画面を表示する。また、台番入力釦Ｍ５２は、台番入力釦Ｍ１２と同一の処理を行うための操作釦であり、遊技者により選択されると台番の入力画面（図示省略。図３のＳ３２に相当する）を表示する。即ち、マイメニュー画面Ｍ５０に表示されている各操作釦は、図３に示す多数の画面のうち、遊技者が所望する情報を得るための画面を１の操作で表示させるための操作釦である。
【００４２】
例えば遊技者が貯玉照会をしたいと考えた場合、通常であれば、図３及び図５に示すようにメインメニュー画面から貯玉照会釦Ｍ３を操作して貯玉照会メニュー画面（図３のＳ６に相当する）を表示させ、さらにメニューから項目（操作釦等）を選択することで貯玉照会画面（図３のＳ６１に相当する）を表示させる必要がある。このため、遊技者が例えば指定台データ画面にて遊技機２の遊技情報を見ているときに貯玉を確認したいと考えた場合、一旦メインメニュー画面に戻った後、操作釦を複数回選択してやっと貯玉照会画面を表示させることができる。
【００４３】
これに対して、本実施形態の表示装置８は、上記したようにマイメニュー画面に貯玉照会釦Ｍ５６を設定しておくことにより、指定台データ画面から貯玉照会画面へ１の操作で切り替えることが可能となり、遊技者が所望する情報を表示させるために要する操作回数を格段に低減することが可能となる。
マイメニュー画面Ｍ５０の設定は、次のようにして行われる。遊技者がマイメニュー画面Ｍ５０においてマイメニュー登録釦Ｍ５７を操作すると、表示装置８は、図１６に示すマイメニュー登録画面を表示する。このマイメニュー登録画面には、画面の背景色を設定するテーマ釦群Ｍ３７、図３の各表示画面を表示するための釦を選択する選択釦群Ｍ３８、ＴＯＰ画面（初期表示状態）を設定する設定釦群Ｍ３９、及びマイメニューの設定操作を行う操作釦群Ｍ４０が表示されている。
【００４４】
遊技者は、選択釦群Ｍ３８の中から、マイメニュー画面Ｍ５０に表示したい所望の釦を選択した後、操作釦群Ｍ４０の登録する登録釦を操作することにより、マイメニュー画面に設定する釦を登録する。これにより、マイメニュー釦Ｍ８が選択されたとき、マイメニュー画面Ｍ５０には、遊技者が設定した釦が表示されることになる。つまり、表示装置８は、マイメニュー画面Ｍ５０が表示されている状態（特別表示状態）において、図３等に示す複数の画面にて表示される操作釦等の項目のうちいずれの項目をマイメニュー画面Ｍ５０にて選択可能に表示するか、を設定可能としている。この設定は、会員遊技者を特定した状態で行われるものであり、設定された項目は、次回ログインした際にも同じ設定が有効化される。つまり、表示装置８は、マイメニュー画面が表示されている特別表示状態にて遊技者が選択可能に表示した項目を、遊技者別に管理している。尚、操作釦群Ｍ４０のうち、キャンセル釦は上記したマイメニューの設定中にその設定をキャンセルするための釦であり、閉じる釦は、マイメニュー登録画面を終了するための釦である。
【００４５】
また、設定釦群Ｍ３９は、ユーザがログインした際に最初に表示されるＴＯＰ画面に設定する項目を設定するための釦であり、メインメニュー画面釦、前回終了画面釦、候補台検索画面釦、機種一覧画面釦、ベスト台データ画面釦が表示されている。尚、設定釦群Ｍ３９として図１６に示している釦は一例であり、例えば遊技場の管理者により任意に設定することができる。
【００４６】
例えばＴＯＰ画面として機種一覧画面釦を選択した場合、遊技者がログインするとまず図７に示す機種一覧画面が表示される。つまり、ＴＯＰ画面は、ユーザがログインした際に、メインメニュー画面よりも先に、換言すると、メインメニュー画面の代わりに表示される画面である。そのため、遊技者は、ＴＯＰ画面として自身が最も所望する情報を表示する画面を設定することにより、即座にその情報を表示させることが可能になる。以下、このＴＯＰ画面が表示された状態を初期表示状態と称する。このため、ＴＯＰ画面において遊技者が所定の操作を行うと（例えば、図７の場合ではメインメニュー釦Ｍ１５が選択されると）、メインメニュー画面が表示されることになる。尚、ＴＯＰ画面が機種一覧画面の場合には、遊技機２の機種が選択された場合には、上記した図８のようなグラフ一覧画面が表示される。
【００４７】
また、設定釦群Ｍ３９のうち、前回終了画面釦は、ＴＯＰ画面として前回の終了時の画面を設定する釦である。例えば、遊技者が図８に示すグラフ一覧画面を表示しており、その状態で終了釦Ｍ９を操作すると、表示装置８は、グラフ一覧画面の表示を終了して受付画面を表示する。このとき、遊技者は、ログインしている状態（遊技者を特定している状態）からログアウトした状態（遊技者を特定していない状態）となる。この遊技者がログアウトしたときに表示していた画面（この場合、グラフ一覧画面）が、前回の終了時の画面となる。そして、表示装置８は、ＴＯＰ画面として前回終了画面が選択されている場合には、次回のログイン時にまずグラフ一覧画面、つまり、遊技者が最後に表示させていた画面を表示する。上記したように各設定は遊技者別に記憶されることから、遊技者は、マイメニュー釦Ｍ８を操作しなくても、所望する情報の画面を表示させることが可能となる。
【００４８】
以上説明した表示装置８によれば、次のような効果を奏する。
表示装置８は検索履歴情報に応じた特別情報を報知するので、検索履歴情報に応じて遊技者に報知する特別情報を異ならせることができる。どのような遊技機２にて遊技を行いたいと考えるかは遊技者によって異なるため、遊技機の検索履歴を特定すれば、遊技者の趣向を良好に特定できる。つまり、検索履歴情報によって、その遊技者が興味を持ちそうな特別情報を報知できる。これにより、遊技者に対して提供する情報を十分に決定することができ、特別情報を報知する効果を得ることができる。
【００４９】
この場合、検索結果として特別遊技機を表示させた遊技者は、その特別遊技機にて遊技を行う可能性が高い遊技者である。そのため、特別遊技機に関する情報を報知することによって、遊技者が興味を持っている可能性が高い遊技機に関する情報、即ち、遊技者が欲している情報を報知することが可能となり、遊技者に提供すべき情報を良好に決定することができる。
【００５０】
また、遊技機２によっては、特別遊技状態が終了してからのゲーム数によっては遊技者に有利となるものがある。また、遊技者によっては遊技機２の検索をゲーム数によって行うことがある。しかし、そのような遊技者であっても新たに遊技場に設置された新規遊技機についてはゲーム性の情報が不足しており、遊技者に有利になるゲーム数を特定できないことがある。そこで、ゲーム数によって検索を行う遊技者に対して、新規遊技機における遊技者に有利となるゲーム数を報知することで、遊技者が知りたいと考えている可能性の高い情報を良好に特定することができる。また、検索履歴に応じて新規遊技機の情報を報知するため、遊技者に対して遊技機の検索の実行つまり遊技場用表示装置の利用を促す効果も期待できる。
【００５１】
遊技者別に記憶している検索履歴情報に基づいて特別情報の内容を変更するので、より適切な情報を遊技者に報知することができる。
遊技者が選択した項目に対応した情報を表示可能であると共に、遊技者がマイメニュー釦Ｍ８を選択（特別操作を実行）した場合にマイメニュー画面Ｍ５０を表示する特別表示状態に切り換え、そのマイメニュー画面に表示する項目を遊技者が設定可能とするので、マイメニュー画面Ｍ５０が表示されている特別表示状態では、遊技者が表示を望んだ情報を表示するための項目だけが表示される。これにより、遊技者は、情報を確認したい場合に、必要のない項目まで表示されて煩わしく感じることや、確認したい情報を表示させるまでの操作回数が極端に多くなることを抑制できる。したがって、遊技者が使い易い遊技場用表示装置を提供することができる。
【００５２】
メインメニュー画面を表示する通常表示状態において複数の項目を表示可能であると共に、当該複数の項目のうち予め定められた項目（例えば、台選び釦Ｍ１等。便宜的に第１項目と称する）を遊技者が選択した場合に、当該第１項目に対応した複数の項目（例えば、機種一覧釦Ｍ１１、台番入力釦Ｍ１２、打ちたい台探し釦Ｍ１３、ベスト台釦Ｍ１４等。便宜的に第２項目と称する）を表示可能であり、マイメニュー画面Ｍ５０を表示している特別表示状態では、複数の第２項目のうち遊技者に設定された第２項目（図１５では機種一覧釦Ｍ５１等）を表示する。つまり、マイメニュー画面Ｍ５０には、図３に示すように階層構造となっている画面にそれぞれ表示される項目のうち下位の画面に表示されている項目、換言すると、通常であれば表示するために複数回の操作を要する項目が表示される。これにより、所望の項目を表示させるまでの操作回数を低減でき、利便性が向上する。
【００５３】
第２項目には例えば機種一覧釦Ｍ１１や台番入力釦Ｍ１２等の項目（便宜的に通常第２項目と称する）と、当該通常第２項目を選択した際に表示される例えば台選びメニュー釦Ｍ１８等の項目（便宜的に特別第２項目と称する）とが含まれており、特別第２項目を遊技者が選択した場合には当該特別第２項目に対応した情報（例えば台選びメニュー画面等）が表示されるので、現在表示している画面から当該特別第２項目に対応した情報を即座に表示させることができ、遊技者が所望する情報を表示するまでの操作回数をさらに低減することができる。
【００５４】
遊技者を特定した場合、つまり、会員の遊技者がログインした場合にＴＯＰ画面を表示する初期表示状態となるので、希望する情報を表示可能な状態を初期表示状態に設定しておくことで、ログインした直後に遊技者が確認したい情報を即座に表示させることが可能となり、利便性がさらに向上する。
【００５５】
初期表示状態に遊技者が設定可能な項目として、当該遊技者が終了操作を実行した場合に表示していた項目に対応した情報を表示する項目が含まれているので、終了操作を実行した場合に表示していた項目に対応した情報を表示させるようにしておけば、再度遊技者を特定した場合に最初から操作を実行する必要が無くなる。これにより、遊技者が特定された場合には、当該遊技者が前回終了操作を行った時点の続きから、即ち、遊技者が希望した情報を表示していた時点から情報の確認を再開することができ、さらに遊技者にとって使い勝手がよくなる。
【００５６】
（その他の実施形態）
本発明は、上記した一実施形態にて例示したものに限定されることなく、次のように変形又は拡張することが出来る。
上記した項目や表示する遊技情報の種類は一例であり、一実施形態にて例示したものに限定されない。例えば、マイメニュー画面Ｍ５０には、図１６では選択肢として表示されていないＯｎｌｉｎｅメニュー画面（図３のＳ８に相当する）等を設定可能としてもよいし、ＴＯＰ画面には、図１６では選択肢として表示されていないホールＭＡＰ画面（図３のＳ５５に相当する）等を設定可能としてもよい。
【００５７】
また、遊技者別に記憶する設定は、表示装置８ではなく、管理装置６や、遊技者の携帯端末或いは会員カード等に記憶する構成としてもよい。また、遊技者の検索履歴も管理装置６や携帯端末或いは会員カード等に記憶してもよい。その場合、次回ログインした際などに、過去の検索履歴にて特別遊技機を検索した遊技者に対して特別報知を行う構成としてもよい。
遊技場用表示装置としての表示装置８を単体で設置するようにしたが、各遊技機２に対応して設けたり、各台計数機３と一体に設け、各台計数機３の液晶表示部３１にて同様の表示を行う構成としてもよい。
【００５８】
遊技者の特定を会員カード或いは携帯端末にて行う構成としたが、遊技者特定手段としてカメラを設け、いわゆる顔認証により遊技者を特定する構成としてもよい。また、操作入力部４２と協働させ、生年月日や暗証番号等の入力に基づいて遊技者を特定する構成としてもよい。
検索結果に応じたお得情報として図１３或いは図１４に示すような遊技者に有利な情報を報知する例を示したが、特別報知の種類や内容は一実施形態で例示したものに限定されない。特別情報の報知は、例えばいわゆる新台入れ替えがいつ行われるか等、遊技者が関心を持つと思われる情報を報知すること等が考えられる。
【００５９】
検索結果に特別遊技機が含まれ、且つその特別遊技機の遊技情報を表示した際に特別情報の報知を行うようにしたが、検索結果画面にて特別遊技機を識別可能に報知したりするなど、特別情報を報知する条件やタイミング等は、一実施形態にて例示したものに限定されない。例えば、遊技者がその遊技機２を所定回数以上遊技している場合に特別情報を報知する等、いわゆる常連客に対して特別情報を報知する等が考えられる。また、図９に示す指定台データを表示させたタイミングで、当該遊技機２に対する特別情報が存在する旨を報知したり、特別情報そのものを報知してもよい。尚、遊技機２が遊技者に有利になる条件は特別状態から経過したゲーム数以外にも考えられることや、特別遊技機が必ずしも新規遊技機でないこと等から、例えば遊技機のスペック等に応じて適宜特別情報の種類や報知するタイミングを適宜変更してもよい。
【符号の説明】
【００６０】
図面中、２は遊技機、８は表示装置（遊技場用表示装置）、４０は制御部（管理手段、検索手段）、４１は表示部（検索結果表示手段、特別報知手段）、４２は操作入力部（検索手段）、４３は記憶部（検索履歴情報記憶手段）を示す。
【図１】
0005905778.tif 000002
【図２】
0005905778.tif 000003
【図３】
0005905778.tif 000004
【図４】
0005905778.tif 000005
【図５】
0005905778.tif 000006
【図６】
0005905778.tif 000007
【図７】
0005905778.tif 000008
【図８】
0005905778.tif 000009
【図９】
0005905778.tif 000010
【図１０】
0005905778.tif 000011
【図１１】
0005905778.tif 000012
【図１２】
0005905778.tif 000013
【図１３】
0005905778.tif 000014
【図１４】
0005905778.tif 000015
【図１５】
0005905778.tif 000016
【図１６】
0005905778.tif 000017